(57)【要約】【課題】外部メモリのデータにより、入出力ポートの設定を切換える家電製品等の応用装置の検査工数を削減すること。【解決手段】信号の入出力を行う１本以上の入出力ポート２と、入出力ポートの設定を行うポートモード設定手段３と、入出力ポートの機能を選択する機能選択手段１と、検査装置と通信する通信手段４を備え、検査装置から入出力ポート２の機能を選択する機能選択手段１の設定の指示・記憶を行い、製品検査時でも、入出力ポートのポートモード設定ができ、入出力ポートの検査が可能となる。また、外部メモリのリード・ライト検査を行う際に、入出力ポートのポートモード設定データの書込みを行うことにより、別途入出力ポートのポートモード設定を行う必要がなく検査工数を削減することができる。【選択図】図１
2007004430.tif 000002
【特許請求の範囲】
【請求項１】
信号の入出力を行う１本以上の入出力ポートと、前記入出力ポートの設定を行うポートモード設定手段と、検査装置と通信する通信手段を備え、前記通信手段により検査装置と通信を行うことにより前記ポートモード設定手段で前記入出力ポートの設定を入力モードまたは出力モードに設定することを特徴とするポートモード制御装置。
【請求項２】
入出力ポートの機能を選択する機能選択手段を備え、前記機能選択手段の出力により前記ポートモード設定手段で前記入出力ポートの設定を入力モードまたは出モード定に設定する請求項１に記載のポートモード制御装置。
【請求項３】
通信手段により検査装置と通信を行うことにより、入出力ポートの機能を選択する機能選択手段のモードを設定する請求項２に記載のポートモード制御装置。
【請求項４】
マイクロコンピュータに入出力ポートと、ポートモード設定手段と、外部と通信を行う通信手段とを備え、機能選択手段が外部メモリであり、前記マイクロコンピュータと前記外部メモリが通信することにより、前記入出力ポートの設定を行う請求項２または３のいずれか１項に記載のポートモード制御装置。
【請求項５】
入出力ポートのポートモードの設定を、外部メモリの検査として行うことにより、検査工数を削減する請求項４に記載のポートモード制御装置。
【発明の詳細な説明】
【技術分野】
【０００１】
本発明は入出力ポート、特にマイクロコンピュータのポートモード制御装置に関するものである。
【背景技術】
【０００２】
マイクロコンピュータは家電製品等の応用装置に組み込まれ、特に１チップマイクロコンピュータにおいては、タイマ、シリアルインタフェース、割込コントローラ等の周辺機能とともに、入出力の制御が行えるポート機能を搭載している。従来、この種のマイクロコンピュータのポートモード制御装置は、ポートモード初期化をプログラムで行ったり、マイクロコンピュータの製造段階でのオプション指定回路によりポートモードの設定を行ったりしている（例えば、特許文献１参照）。
【０００３】
図４は、特許文献１に記載された従来のポートモード制御装置を示すものである。図３に示すように、マイクロコンピュータ１１は、入出力ポート２と、入出力ポート２の設定を変更するポートモード設定手段３と、ポートモード設定手段３を制御する制御部５から構成されている。
【特許文献１】特開平１−１９４５５号公報
【発明の開示】
【発明が解決しようとする課題】
【０００４】
しかしながら、前記従来の構成では、ポートモード初期化をプログラムで行ったり、マイクロコンピュータの製造段階でのオプション指定回路によりポートモードの設定を行ったりしており、各ポートの機能は固定されてしまうため、家電製品等の応用装置の機種展開に対して、同一のマイクロコンピュータで共用化対応できない、または、ポート数の多いマイクロコンピュータが必要となり、コストアップを招くという課題を有していた。
【０００５】
本発明は、前記従来の課題を解決するもので、家電製品等の応用装置の機種展開に対して、同一のマイクロコンピュータで共用化対応するとともに、検査工数を削減するポートモード制御装置を提供することを目的とする。
【課題を解決するための手段】
【０００６】
前記従来の課題を解決するために、本発明のポートモード制御装置は、信号の入出力を行う１本以上の入出力ポートと、入出力ポートの設定を変更するポートモード設定手段と、入出力ポートの機能を選択する機能選択手段と、検査装置と通信する通信手段を備え、通信手段により検査装置と通信を行うことにより入出力ポートの機能を選択する機能選択手段の設定を行い、機能選択手段の出力によりポートモード設定手段で入出力ポートの設定を行うものである。また、外部メモリで入出力ポートの機能選択を行うことにより、入出力ポートの機能選択が容易にでき、マイクロコンピュータの共用化が可能となる。また、入出力ポートのポートモードの設定を、外部メモリの検査として行うことにより、検査工数を削減することができる。
【発明の効果】
【０００７】
本発明のポートモード制御装置は、家電製品等の応用装置の機種展開に対して、同一のマイクロコンピュータでコストアップすることなく共用化対応し、入出力ポートの検査が可能となるとともに、検査工数を削減することができる。
【発明を実施するための最良の形態】
【０００８】
第１の発明は信号の入出力を行う１本以上の入出力ポートと、入出力ポートの設定を変更するポートモード設定手段と、検査装置と通信する通信手段を備え、通信手段により検査装置と通信を行うことによりポートモード設定手段で入出力ポートの設定を変更することにより、ポートモード設定が確定していない製品検査時に、ポートモード設定ができ、入出力ポートの検査が可能となる。
【０００９】
第２の発明は、特に、第１の発明のポートモード制御装置に入出力ポートの機能を選択する機能選択手段を備え、機能選択手段の出力によりポートモード設定手段で入出力ポートの設定を行うことにより、同一の入出力ポートでも、各機能毎にポートモードの設定が可能となり、応用装置の機種展開に対して、同一のマイクロコンピュータでコストアップすることなく共用化対応することができる。
【００１０】
第３の発明は、特に、第２の発明のポートモード制御装置の通信手段により検査装置と通信を行い、入出力ポートの機能を選択する機能選択手段の設定の指示を行い、入出力ポートの設定を行うことにより、検査終了後に別途入出力ポートのポートモード設定を行う必要がなく、また、検査終了後に入出力ポートのポートモード設定が確定しているため誤動作も防止できる。
【００１１】
第４の発明は、特に、第１〜３のいずれか１つの発明のポートモード制御装置の機能選択手段を外部メモリとすることにより、入出力ポートの機能選択が容易にできる。
【００１２】
第５の発明は、特に、第４の発明のポートモード制御装置の外部メモリのリード・ライト検査を行う際に、入出力ポートのポートモード設定を変更するデータを書き込み・読み出しを行うことにより、別途入出力ポートのポートモード設定を行う必要がなく検査工数を削減することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるポートモード制御装置のブロック図を示すものである。
【００１５】
図１において、ＥＰＲＯＭ等の外部メモリ１０は、機能選択手段１を備え、マイクロコンピュータ１１は、入出力ポート２と、入出力ポート２の設定を変更するポートモード設定手段３と、検査装置と通信を行う通信手段４と、ポートモード設定手段３と通信手段４を制御する制御部５から構成され、外部メモリ１０とマイクロコンピュータ１１はシリアルインタフェース等を介してデータの送受信を行っている。
【００１６】
以上のように構成されたポートモード制御装置の動作を図２のフローチャートを用いて説明する。
【００１７】
まず、マイクロコンピュータ１１の制御部５は通信手段４により検査装置から送信されたポート機能選択データを受信する（Ｓ１０１）。制御部５は、受信したポート機能選択データを外部メモリ１０の機能選択手段に書込みを行うとともに（Ｓ１０２）、受信したポート機能選択データをポートモード設定手段３に出力し、入出力ポート２のポート設定を判定する（Ｓ１０３）。受信したポート機能選択データが出力設定であれば、入出力ポート２をポートモード設定手段３により出力設定に設定する（Ｓ１０４）。受信したポート機能選択データが入力設定であれば、入出力ポート２をポートモード設定手段３により入力設定に設定する（Ｓ１０５）。
【００１８】
以上のように、本実施の形態においては、信号の入出力を行う１本以上の入出力ポートと、入出力ポートの設定を行うポートモード設定手段と、検査装置と通信する通信手段を備え、通信手段で検査装置からポート機能選択データを受信し、ポートモード設定手段で入出力ポートの設定を行うことにより、ポートモード設定が確定していない製品検査時でも、入出力ポートのポートモード設定ができ、入出力ポートの検査が可能となる。
【００１９】
また、本実施の形態では、ポートモード制御装置に入出力ポートの機能を選択する機能選択手段を備え、機能選択手段にポート機能選択データを記憶し、機能選択手段の出力によりポートモード設定手段で入出力ポートの設定を行うようにし、また、機能選択手段を外部メモリとすることで、機能選択手段に記憶するデータを設定することが容易にでき、同一の入出力ポートでも、各機能毎にポートモードの設定が可能となり、応用装置の機種展開に対して、同一のマイクロコンピュータでコストアップすることなく共用化対応することができる。
【００２０】
また、本実施の形態では、ポートモード制御装置の入出力ポート検査時に、通信手段と検査装置が通信を行い、検査装置から入出力ポートの機能を選択する機能選択手段の設定変更の指示を行い、入出力ポートの設定を機能選択手段に記憶しておくことにより、検査終了後に別途入出力ポートのポートモード設定を行う必要がなく、また、検査終了後に入出力ポートのポートモード設定が確定しているため誤動作も防止できる。
【００２１】
また、本実施の形態では、外部メモリに特定のデータを書込み、書込んだデータを読出しデータの一致を確認することを、一般的に外部メモリの検査として行っているが、この外部メモリの検査を行う際に、入出力ポートのポートモード設定を行うデータを外部メモリに書き込み・読み出し・確認を行うことにより、別途入出力ポート検査時に、ポートモード設定を行う必要がなく検査工数を削減することができる。
【産業上の利用可能性】
【００２２】
以上のように、本発明にかかるポートモード制御装置は、応用装置の機種展開に対して、同一のマイクロコンピュータでコストアップすることなく共用化対応するとともに、入出力ポートの検査が可能となり、また、検査工数を削減することが可能となるので、テレビ、ビデオ等のＡＶ機器や空気調和機等の家電機器等の用途に適用できる。
【図面の簡単な説明】
【００２３】
【図１】本発明の実施の形態におけるポートモード制御装置のブロック図
【図２】本発明の実施の形態におけるポートモード制御装置の動作を示すフローチャート
【図３】従来のポートモード制御装置のブロック図
【符号の説明】
【００２４】
１  機能選択手段
２  入出力ポート
３  ポートモード設定手段
４  通信手段
５  制御部
１０  外部メモリ
１１  マイクロコンピュータ
【図１】
2007004430.tif 000003
【図２】
2007004430.tif 000004
【図３】
2007004430.tif 000005